(57)【要約】【課題】不用意な転がりを防止して作業性を向上し、紛失のリスクを低減する転がり防止ねじを提供する。【解決手段】頭部１０と、上記頭部１０に対して一体に接合された軸ねじ部２０とを有し、上記頭部１０は、工具溝１２を有する頂面１１と、上記軸ねじ部２０が接合されるとともに対象物に密着して対象物を押圧する押圧面１５とを有し、上記頭部１０は、上記頂面１１と押圧面１５の外周が円弧状であり、上記円弧状を呈する外周以外の部分に、上記軸ねじ部２０の軸Ｃ方向に沿う平面３０が形成されている。このため、卓上等に置いた場合に、上記平面３０が卓上に接したところで転がりが停止する。多少の傾斜があったり、振動や外力が加わったりしても、ねじ自体が容易に転がって移動してしまうことが防止され、不用意な転がりを防止して作業性を向上し、紛失のリスクを低減する。【選択図】図１
0003232907.tif 000002
【実用新案登録請求の範囲】
【請求項１】
頭部と、上記頭部に対して一体に接合された軸ねじ部とを備え、
上記頭部は、工具溝を有する頂面と、上記軸ねじ部が接合されるとともに対象物に密着して対象物を押圧する押圧面とを有し、
上記頭部は、上記頂面と押圧面の外周が円弧状であり、上記円弧状を呈する外周以外の部分に、上記軸ねじ部の軸方向に沿う平面が形成されている
ことを特徴とする転がり防止ねじ。
【請求項２】
上記頭部は、なべ頭、皿頭、丸皿頭、トラス頭、バインド頭のうちいずれかである
請求項１記載の転がり防止ねじ。
【考案の詳細な説明】
【技術分野】
【０００１】
本考案は、不用意な転がりを防止する転がり防止ねじに関するものである。
【背景技術】
【０００２】
表層材と下地材のような複数の部材を締結させる部品として、ねじが広く用いられている。このようなねじは、一般に、ドライバ等の工具が嵌合する溝が形成された頭部と、その頭部と一体に成形されてねじ山が形成された軸部とから構成される。
【０００３】
このような技術に関し、本出願人は先行技術文献として下記の特許文献１を把握している。
【先行技術文献】
【特許文献】
【０００４】
【特許文献１】特許第４９３７３３７号公報
【０００５】
上記特許文献１には、つぎの記載がある。
［００２９］
皿ねじ１は、皿ねじの「皿」に相当し且つ締付工具が嵌着される工具溝としての十字溝Ｍが形成された頭部２と、略円柱状をなす軸部３とが一体に形成されたものである。
［００３０］
頭部２は、２つの部分、すなわち、頭部２と軸部３との境界をなすねじ首Ｎ（軸部３の一方端）から延在し、そのねじ首Ｎに向かって直線的に徐々に縮径された円錐状の頭座部２１、及び、その頭座部２１から延在しており、頭部２の端面４に向かって直線的に徐々に縮径がされた円錐状形の頭冠部２２とから構成されている。このように、頭部２は、互いに逆向きの円錐形状（断面台形形状）を有する部位が当接された構造を有している。
【考案の概要】
【考案が解決しようとする課題】
【０００６】
上記特許文献１に記載された技術では、頭部２が軸方向にみて円形を呈している。このため、皿ねじ１を卓上に置いた場合に、多少の傾斜があったり、振動や外力が加わったりすることにより、皿ねじ１自体が容易に転がって移動してしまう。皿ねじ１をひとつひとつ拾いあげるときに皿ねじ１が転がると作業に支障が生じ、作業者にはストレスになるという問題がある。皿ねじ１が卓上から転げ落ちると、紛失しやすくなるという問題もある。
【０００７】
本考案は、上記事情に鑑み、下記の目的をもってなされたものである。
不用意な転がりを防止して作業性を向上し、紛失のリスクを低減する転がり防止ねじを提供する。
【課題を解決するための手段】
【０００８】
請求項１記載の転がり防止ねじは、上記目的を達成するため、つぎの構成を採用した。
頭部と、上記頭部に対して一体に接合された軸ねじ部とを備え、
上記頭部は、工具溝を有する頂面と、上記軸ねじ部が接合されるとともに対象物に密着して対象物を押圧する押圧面とを有し、
上記頭部は、上記頂面と押圧面の外周が円弧状であり、上記円弧状を呈する外周以外の部分に、上記軸ねじ部の軸方向に沿う平面が形成されている。
【０００９】
請求項２記載の転がり防止ねじは、請求項１記載の構成に加え、つぎの構成を採用した。
上記頭部は、なべ頭、皿頭、丸皿頭、トラス頭、バインド頭のうちいずれかである。
【考案の効果】
【００１０】
請求項１記載の転がり防止ねじは、頭部と軸ねじ部とを備えている。上記軸ねじ部は、上記頭部に対して一体に接合されている。上記頭部は頂面と押圧面とを有している。上記頂面は工具溝を有する。上記押圧面は、上記軸ねじ部が接合されるとともに対象物に密着して対象物を押圧する。そして、上記頭部は、上記頂面と押圧面の外周が円弧状であり、上記円弧状を呈する外周以外の部分に、上記軸ねじ部の軸方向に沿う平面が形成されている。
このため、本考案の転がり防止ねじを卓上等に置いた場合に、上記平面が卓上に接したところで転がりが停止する。多少の傾斜があったり、振動や外力が加わったりしても、ねじ自体が容易に転がって移動してしまうことが防止される。このように、不用意な転がりを防止して作業性を向上し、紛失のリスクを低減する。
【００１１】
請求項２記載の転がり防止ねじは、上記頭部が、なべ頭、皿頭、丸皿頭、トラス頭、バインド頭のうちいずれかである。なべ頭、皿頭、丸皿頭、トラス頭、バインド頭の頭部を有するねじにおいて、不用意な転がりを防止して作業性を向上し、紛失のリスクを低減することができる。
【図面の簡単な説明】
【００１２】
【図１】本考案の転がり防止ねじの実施形態を示す図である。
【図２】本考案の転がり防止ねじの変形例を示す図である。
【考案を実施するための形態】
【００１３】
つぎに、本考案を実施するための形態を説明する。
【００１４】
図１は、本考案の転がり防止ねじの一実施形態を示す図である。
本実施形態の転がり防止ねじは、頭部１０と軸ねじ部２０とを備えている。上記軸ねじ部２０は、上記頭部１０に対して一体に接合されている。
【００１５】
この例は、本考案を皿ねじに適用した例であり、上記頭部１０は皿ねじ頭である。また、この例は、本考案をタッピングねじに適用した例であり、上記軸ねじ部２０は先端が尖っている。
【００１６】
上記頭部１０は頂面１１と押圧面１５とを有している。上記頂面１１は工具溝１２を有する。上記押圧面１５は、上記軸ねじ部２０が接合されるとともに対象物に密着して対象物を押圧する。この例は、本考案をプラスねじに適用した例であり、上記工具溝１２が十字溝である。
【００１７】
そして、上記頭部１０は、上記頂面１１と押圧面１５の外周１７が、上記軸ねじ部２０の軸Ｃ方向にみて円弧状である。また、上記円弧状を呈する外周１７以外の部分に平面３０が形成されている。上記平面３０は、上記軸ねじ部２０の軸Ｃ方向に沿う面であって、上記頂面１１と押圧面１５のあいだに設けられている。
【００１８】
上記実施形態の転がり防止ねじは、ねじを卓上等に置いた場合に、上記平面３０が卓上に接したところで転がりが停止する。多少の傾斜があったり、振動や外力が加わったりしても、ねじ自体が容易に転がって移動してしまうことが防止される。このように、不用意な転がりを防止して作業性を向上し、紛失のリスクを低減する。
【００１９】
図２は、本考案の転がり防止ねじの変形例を示す図である。
（Ａ）は上記頭部１０がなべ頭である例、（Ｂ）は上記頭部１０が丸皿頭である例、（Ｃ）は上記頭部１０がトラス頭である例、（Ｄ）は上記頭部１０がバインド頭である例である。頭部１０の形状が異なる以外は、上記実施形態と同様であり、同様の部分には同じ符号を付している。これらの変形例でも上記実施形態と同様の作用効果を奏する。
【００２０】
◆その他の変形例
以上は本考案の特に好ましい実施形態について説明したが、本考案は図示した実施形態に限定する趣旨ではなく、各種の態様に変形して実施することができ、本考案は各種の変形例を包含する趣旨である。たとえば、上記実施形態では平面３０を一か所にしたが、二か所でもよい。
【符号の説明】
【００２１】
１０：頭部
１１：頂面
１２：工具溝
１５：押圧面
１７：外周
２０：軸ねじ部
３０：平面
【図１】
0003232907.tif 000003
【図２】
0003232907.tif 000004